(57)【要約】通信ネットワークでのメディアフレーム送信を改善する方法において、最初に複数の“元々の”或は正規のメディアフレームが送信のために提供される。本発明に従えば、提供された正規のメディアフレームの耐性のある表現形が生成され、ローカルに格納される。続いて、１つ以上の正規のメディアフレームが送信される。本発明は送信されたメディアフレームが損失している兆候を検出する。本発明の思想は、検出されたフレーム損失に応じて、その損失メディアフレームの格納されている耐性のある表現形と、後に続くまだ送信されていないメディアフレームの格納されている耐性のある表現形との内の少なくともいずれかを送信してメディア品質を向上させることにある。
2009526433.tif 000002
【特許請求の範囲】
【請求項１】
通信ネットワークにおけるメディアフレーム送信を改善する方法であって、
複数の連続する正規のメディアフレームを送信のために提供する（Ｓ０）工程と、
前記複数の連続する正規のメディアフレームの耐性のある表現形を提供し、格納する（Ｓ１）工程と、
前記正規のメディアフレームの少なくともサブセットを送信する（Ｓ２）工程と、
前記送信されたメディアフレームの損失の兆候を検出する（Ｓ３）工程と、
前記検出されたフレーム損失に応じて、ｉ）前記損失したメディアフレームの格納されている耐性のある表現形と、ii）後に続く、まだ送信されていない、メディアフレームの格納されている耐性のある表現形との内、少なくとも１つを送信する（Ｓ４）工程とを有することを特徴とする方法。
【請求項２】
少なくとも前記損失したメディアフレームの格納された耐性のある表現形を送信することを特徴とする請求項１に記載の方法。
【請求項３】
前記損失したメディアフレームの格納された耐性のある表現形を、後に続くまだ送信されていない、メディアフレームの格納されている耐性のある表現形とともに送信することを特徴とする請求項２に記載の方法。
【請求項４】
前記損失したメディアフレームの格納された耐性のある表現形と、後に続く正規のメディアフレームとを送信することを特徴とする請求項１に記載の方法。
【請求項５】
前記耐性のある表現形は、メディア符号化処理の間に前記正規のメディアフレームに付加して生成され、送信ユニットに利用可能なバッファに格納されることを特徴とする請求項１に記載の方法。
【請求項６】
利用可能な送信速度の評価に基づいて、前記格納された耐性のある表現形を選択し、送信する工程をさらに有することを特徴とする請求項１に記載の方法。
【請求項７】
前記耐性のある表現形は前記対応する正規のメディアフレームよりも小さいことを特徴とする請求項１に記載の方法。
【請求項８】
前記少なくとも前記損失したメディアフレームの格納された耐性のある表現形を送信する工程は、元々のメディアフレームよりも大きな電力で実行されるか、或は、必要であるなら再送信の試行をより多く行うことを特徴とする請求項１に記載の方法。
【請求項９】
前記検出する（Ｓ３）工程は、再送信の回数が再送信の最高数についての所定の制限を越えたことを検出することを特徴とする請求項１に記載の方法。
【請求項１０】
前記検出する（Ｓ３）工程は、再送信の回数が受信ＮＡＣＫの数に基づいて、所定の最高値を超えるパケット損失数についての可能性を予測することを含むことを特徴とする請求項１に記載の方法。
【請求項１１】
前記メディアフレーム送信は、アップリンクのＥ−ＤＣＨ、或は、ダウンリンクのＨＳＤＰＡによって発生することを特徴とする請求項１に記載の方法。
【請求項１２】
通信ネットワークにおける改善されたメディアフレーム送信のために適合した装置であって、
複数の連続する正規のメディアフレームを送信のために提供する手段（１０）と、
前記複数の連続する正規のメディアフレームの耐性のある表現形を提供し、ローカルに格納する手段（２０）と、
前記正規のメディアフレームの少なくともサブセットを送信する手段（３０）と、
前記送信されたメディアフレームの損失の兆候を検出する手段（４０）とを有し、
前記送信する手段（３０）はさらに、前記検出されたフレーム損失に応じて、ｉ）前記損失したメディアフレームの格納されている耐性のある表現形と、ii）後に続く、まだ送信されていない、メディアフレームの格納されている耐性のある表現形との内、少なくとも１つを送信するように適合されていることを特徴とする装置。
【請求項１３】
前記送信する手段（３０）は、少なくとも前記損失したメディアフレームの格納された耐性のある表現形を送信するように適合されていることを特徴とする請求項１２に記載の装置。
【請求項１４】
前記送信する手段（３０）は、前記損失したメディアフレームの格納された耐性のある表現形を、後に続くまだ送信されていない、メディアフレームの格納されている耐性のある表現形とともに送信するように適合されていることを特徴とする請求項１２に記載の装置。
【請求項１５】
通信ネットワークにおけるノードであって、
複数の（連続する）正規のメディアフレームを送信のために提供する手段（１０）と、
前記複数の連続する正規のメディアフレームの耐性のある表現形を提供し、ローカルに格納する手段（２０）と、
前記正規のメディアフレームの少なくともサブセットを送信する手段（３０）と、
前記送信されたメディアフレームの損失の兆候を検出する手段（４０）とを有し、
前記送信する手段（３０）はさらに、前記検出されたフレーム損失に応じて、ｉ）前記損失したメディアフレームの格納されている耐性のある表現形と、ii）後に続く、まだ送信されていない、メディアフレームの格納されている耐性のある表現形との内、少なくとも１つを送信するように適合されていることを特徴とするノード。
【請求項１６】
前記ノードは通信ネットワークにおけるユーザ機器であることを特徴とする請求項１５に記載のノード。
【請求項１７】
前記ノードは通信ネットワークにおける基地局であることを特徴とする請求項１５に記載のノード。
【発明の詳細な説明】
【技術分野】
【０００１】
本発明は一般に通信システムにおけるメディアフレームの送信に関するものであり、具体的にはＷＣＤＭＡ通信システムにおいてメディア（例えば、ＩＰ電話）送信でのパケット損失に応じて伝送品質の改善を可能とする方法および装置に関する。
【背景技術】
【０００２】
無線通信はこの１０年間のうちに著しい進展を遂げてきている。３Ｇおよびそれ以降に向けた無線ネットワークの進化および進展につれて、パケットデータサービスは、例えばインターネットに対する広い帯域幅およびアクセス性を提供するという目的で主要な焦点になってきている。それ故、エンドユーザ機器および端末を含めてプロトコルおよびネットワークアーキテクチャは通常、インターネットプロトコル（ＩＰ）サービスをできるだけ効率よくサポートするように設計され構築されている。
【０００３】
例えば、高速パケット接続（ＨＳＰＡ）の技術は、ダウンリンクにおける高速ダウンリンクパケット接続（ＨＳＤＰＡ）およびアップリンクにおける拡張専用チャネル（Ｅ−ＤＣＨ）を備えた広帯域符号分割多元接続（ＷＣＤＭＡ）の仕様を高度化する。これらのチャネルは、エンドユーザ性能の高度化およびシステム容量の増大を提供することにより、インターネットプロトコル（ＩＰ）に基づく通信を効率よくサポートするように設計されている。当初はインタラクティブおよびバックグラウンドアプリケーション用に設計されたが、これらのチャネルは既存の回線交換（ＣＳ）ベアラよりもインタラクティブ形式のサービスに対して良好なまたはずっとよい性能になるように提供する。
【０００４】
Ｅ−ＤＣＨは、標準化文書である非特許文献１や非特許文献２でその仕様が規定されているように、ＩＰ送信用に高度化されてきた専用チャネルである。その高度化は主に以下点からなる。即ち、
・より短い送信時間間隔（ＴＴＩ）が使用できること。
・移動端末と基地局との間で高速のハイブリッド自動再送要求（ＨＡＲＱ）を使用すること。ＨＡＲＱメカニズムはある一定数の送信試行後に送信を中止しょうとするので、半永続的である。実際の試行回数は決定され、そして無線ネットワーク制御装置（ＲＮＣ）からユーザ機器（ＵＥ）またはユーザ端末に信号で伝えられる。
・基地局から移動端末の送信速度をスケジューリングすることである。
【０００５】
さらに、Ｅ−ＤＣＨはアップリンクにおける専用チャネル特有の殆んどの特徴を保有している。最も重要なことであるが、アップリンク送信には直交性がないので、Ｅ−ＤＣＨは他のユーザの信号を検出することを不可能にするほどの度を越した干渉を引き起こさないように電力制御される。電力制御は、典型的には２つの異なるメカニズムで構成される。第一に、いわゆるインナーループ電力制御が各２／３タイムスロットに対して行われる。送信電力は、専用物理制御チャネル（ＤＰＣＣＨ）の測定された受信信号強度が所定の信号対干渉比（ＳＩＲ）の目標に達するように調整される。この目標はいわゆるアウターループ電力制御により決定され、その制御は抽出された送信試行に対して一貫性のあるブロック誤り率を維持しようとする。
【０００６】
一群のインタラクティブ形式のサービスはマルチメディア電話（ＭＭＴｅｌ）として言及される。ＭＭＴｅｌ会話は通常、１つ以上のメディア要素、例えば、音声、映像、またはテキスト要素などで構成される。様々な要素は種類によって通常は、異なる優先権を有する。音声要素は通常最も重要と考えられており、従って映像およびテキスト要素を犠牲にしても良好な音声品質を保つようにすることが重要であり、或は本質的でさえある。
【非特許文献１】３ＧＰＰ  ＴＳ２５．３０９
【非特許文献２】３ＧＰＰ  ＴＳ２５．３１９
【発明の開示】
【発明が解決しようとする課題】
【０００７】
Ｅ−ＤＣＨを使用する場合、ＨＡＲＱと電力制御との相互作用は、残念なことに２つの基本的な理由のためにアプリケーションレベルのパケット損失をもたらすことがある。まず第一に、インナーループ電力制御の制御遅延は２タイムスロットである。この遅延は３タイムスロットで構成されるだけの２ミリ秒持続する送信時間間隔（ＴＴＩ：ｓ）にとってはあまりにも長い。その結果、必要な電力レベルが著しく変動すると、インナーループ電力制御はその電力を十分調整できない場合がある。第二に、アウターループ電力制御はブロック誤りが発生するまで目標ＳＩＲを徐々に低下させる。このことは１０ミリ秒ＴＴＩの場合に問題となり、再送に時間を比較的長く要し、従って再送の最大回数が少なくなる。通常、ＨＡＲＱと電力制御とのこの相互作用は結果として、１つまたは２〜３の拡張メディアアクセス制御（ＭＡＣ−ｅ）プロトコルデータユニット（ＰＤＵ：ｓ）の損失を被ることになる。
【０００８】
１つまたは２〜３のＭＡＣ−ｅ  ＰＤＵ：ｓの損失は、１つまたは２〜３のアプリケーションフレームの損失に相当する。通常、大抵のアプリケーションは単一のフレーム損失からは回復できるが、いくつかの連続したパケット損失はメディア品質の顕著な低下をもたらす可能性がある。
【０００９】
従って、パケットまたはフレーム損失が検出されている場合、メディア送信に対する伝送品質を改善できる方法および装置が必要である。
【課題を解決するための手段】
【００１０】
概要的な面から見ると、本発明は品質が改善されたメディア送信を提供する。
【００１１】
具体的な面から見ると、本発明は検出したパケット損失に応じてメディア伝送品質の改善を可能にする。
【００１２】
別の具体的な面から見ると、本発明はＷＣＤＭＡ通信システムにおいて検出したパケット損失に応じてＩＰ電話伝送を改善できる。
【００１３】
基本的に、本発明は通信ネットワークにおいてメディアフレーム送信を改善する方法を提供するものである。最初に複数の“元の”或は正規のメディアフレームが送信のために提供される。本発明に従って、提供された正規のメディアフレームの耐性のある表現形が生成され、ローカルに格納される。それに続いて、１つ以上の正規のメディアフレームが送信される。本発明はまた、送信されたメディアフレームの損失の兆候を検出する。そして、本発明の思想とは、検出されたフレーム損失に応じて、損失したメディアフレームの格納されている耐性のある表現形と、後に続くまだ送信されていないメディアフレームの格納されている耐性のある表現形との内、少なくともいずれかを送信する点にある。
【００１４】
フレーム損失が検出される場合、損失したメディアフレームの耐性のある表現形が送信されることが好ましい。その代わりに、評価後に、後に続く新規のメディアフレームの耐性のある表現形を送信する方が実際にはより良いということが決定されても良い。
【００１５】
アプリケーションや状況に依存して、損失したメディアフレームの耐性のある表現形を後に続く新規のメディアフレームの格納されている耐性のある表現形とともに両方を送信することが望ましい場合がある。
【発明の効果】
【００１６】
本発明は一般に無線通信チャネルによるメディア品質の改善に適用できるが、特に、アップリンクでのＥ−ＤＣＨとダウンリンクでのＨＳＤＰＡとの内の少なくともいずれかによる会話品質の改善に適している。
【００１７】
本発明の利点には以下のことが含まれる。即ち、
−  メディア伝送品質の改善と、
−  システム容量の改善と、
−  Ｅ−ＤＣＨアップリンク動作とＨＳＤＰＡダウンリンク動作の内の少なくともいずれかの改善である。
【００１８】
本発明の更なる目的およびそれらの利点とを含めて、本発明は添付図面と以下の説明とを総合して参照することにより、最善の理解が得られる。
【発明を実施するための最良の形態】
【００１９】
［略語］
ＡＭＲ          適応マルチレート
ＡＲＱ          自動再送要求
ＣＳ            回線交換
ＤＰＣＣＨ      専用物理制御チャネル
Ｅ−ＤＣＨ      拡張専用チャネル
Ｅ−ＤＰＤＣＨ  拡張専用物理データチャネル
Ｅ−ＴＦＣ      拡張ＴＦＣ
ＨＡＲＱ        ハイブリッドＡＲＱ
ＨＳＰＡ        高速パケット接続
ＨＳＤＰＡ      高速パケットデータ接続
ＩＰ            インターネットプロトコル
ＭＡＣ          媒体アクセス制御
ＭＡＣ−ｄ      ＭＡＣ専用
ＭＡＣ−ｅ      ＭＡＣ拡張
ＰＤＵ          プロトコルデータユニット
ＲＬＣ          無線リンク制御
ＲＯＨＣ        ロバストヘッダ圧縮
ＳＩＲ          信号対干渉比
ＳＤＵ          サービスデータユニット
ＴＦ            トランスポートフォーマット
ＴＦＣ          トランスポートフォーマット組合せ
ＴＴＩ          送信時間間隔
ＵＥ            ユーザ機器
ＶｏＩＰ        ＩＰ電話
ＷＣＤＭＡ      広帯域符号分割多元接続。
【００２０】
本発明はＷＣＤＭＡシステムにおけるアップリンク上でのメディア送信、例えば、ＶｏＩＰなどとの関連で説明する。しかしながら、本発明を同様にダウンリンクに利用することが可能である。
【００２１】
本発明はＥ−ＤＣＨとＨＳＤＰＡに関して主に説明するが、本発明はそのことに限定されるものではない。
【００２２】
この開示のために、“送信”という表現はシーケンス番号または相当する識別子により特徴付けられた特定のプロトコルデータユニット（ＰＤＵ）の最初の伝送である。“再送”という用語は、このシーケンス番号を有するＰＤＵに関連する任意の更なる伝送に言及するものである。これは、（例えば、ＨＡＲＱタイプ１での）ＰＤＵを精密に符号化したものの再送とともに、そのＰＤＵを新たに符号化したものの再送をも含む。再送のサイズは、最初の伝送と同じであるかもしれないし、異なるかもしれない。さらに、以下では、“ＡＲＱ”や“ＡＲＱプロトコル”等の用語は、ＡＲＱとＨＡＲＱとの内の少なくともいずれかの機能性に言及して広い意味で使用する。
【００２３】
図１は本発明が使用されるＷＣＤＭＡ通信システムの例の図式的概観図である。例示されているシステム１００は無線アクセスネットワーク（ＲＡＮ）、例えば、全地球的陸上無線アクセスネットワーク（ＵＴＲＡＮ）とコアネットワーク１３０を備える。ＲＡＮは無線関連機能を実行し、例えば、移動電話やラップトップのようなユーザ機器１１２とそのネットワークの残り部分との接続確立を担当する。ＲＡＮは通常、ノードＢとも呼ばれる数多くの無線基地局装置（ＢＴＳ）１２２と、無線ネットワーク制御装置（ＲＮＣ）１２４とを含む。各ＢＴＳはそれぞれのカバレッジエリア内の移動端末にサービスを提供し、いくつかのＢＴＳは１つのＲＮＣにより制御される。ＲＮＣの典型的な機能は、周波数、拡散符号またはスクランブリング符号、及びチャネル電力レベルを割り当てることである。
【００２４】
ＲＮＣ１２４はコアネットワーク１３０へのアクセスを提供し、コアネットワークは、例えば、交換局、サポートノードおよびデータベース、及び、一般にはいくつかのマルチメディア処理装置を備えている。コアネットワークは、例えば、インターネット、公衆電話交換網（ＰＳＴＮ）、サービス総合ディジタル網（ＩＳＤＮ）、および他の公衆陸上移動通信網（ＰＬＭＮ）のような外部ネットワーク１４０と通信する。実際に、大抵のＷＣＤＭＡネットワークは、図１の基本的な例にあるよりは遥かに複雑な方法で構成された多数のネットワーク要素やノードを提供している。
【００２５】
ここで使用する用語を用いると、例示しているパケットベースの通信システムのようなシステムにおける無線通信リンクによる通信は、送信側から受信側へと生じる。図１で、このことは、アップリンクのシナリオにおいては、ＰＤＵはユーザ機器（端末）を備えている送信側１１０からノードＢおよびＲＮＣを備えている受信側１２０に送られることを意味している。これに対して、ダウンリンクのシナリオにおいては、送信側１２０はノードＢおよびＲＮＣを有する無線アクセスネットワークの側であるが、端末は受信側１１０に属している。
【００２６】
図２はＥ−ＤＣＨに関する様々なエンティティに対して最も重要なプロトコルレイヤを図式的に説明している。拡張アップリンクに対して、小さい遅延と高速リソース割当てに関する要件を満たすために、スケジューリングとハイブリッドＡＲＱ（ＨＡＲＱ）は無線インタフェースに対して設けられなければならない。このことは通常、ノードＢにおける媒体アクセス制御（ＭＡＣ）エンティティ（ＭＡＣ−ｅ）によって達成される。ＭＡＣ−ｅはスケジューリングとＨＡＲＱとを担当している。物理レイヤＰＨＹはさらに、ソフト合成に必要な機能性を含むように拡張されている。さらに、ＭＡＣ−ｅはＲＮＣに含まれ、拡張アップリンクに対して、シーケンス配信、重複検出、およびマクロダイバーシティ合成をサポートする。
【００２７】
ＭＡＣ−ｅパケット損失の主な原因は再送が所定の回数を超えることであるので、ＭＡＣ−ｅエンティティはいつパケット損失が発生したかを直ぐに知る。その結果、本発明の全般的な目的は、実際のパケット損失の検出を利用してメディア伝送品質を、メディアの“修復”を提供するという意味で、改善できるようにすることである。
【００２８】
本発明の概要的な実施例に従えば、図３を参照するなら、複数の正規のメディアフレームが送信のために提供される（Ｓ０）。これらのメディアフレームは通常、エンコーダユニットで周知の符号化工程によってアプリケーションレイヤにより生成される。また、提供されたメディアフレームの耐性のある表現形が供給され、例えば、ＭＡＣ−ｅエンティティに利用可能なバッファ内に格納される（Ｓ１）。提供された正規のメディアフレームの少なくともサブセットは周知の方法で送信される（Ｓ２）。パケット損失または対応するフレーム損失の兆候を検出する（Ｓ３）とき、本発明の思想は損失したメディアフレームの格納されている耐性のある表現形と、後に続くそれまでには送信されていない提供されたメディアフレームの耐性のある表現形との内の少なくともいずれかを送信する（Ｓ４）ことであり、それによりメディア送信の全体的な伝送品質を改善する。
【００２９】
具体的な実施例に従えば、メディアフレームのローカルに格納される耐性のある表現形、いわゆる耐性のあるメディアフレームは、一般に通常のフレームよりも小さい。例として、アプリケーションは低速の音声コーデックを使用するかもしれず、或は、音声とビデオフレームの代わりに音声フレームのみを送ることができよう。
【００３０】
好ましくはローカルに格納されている耐性のあるモードのフレームは、正規または通常のフレームよりも少ないビットを含むべきである。なぜなら、このことがＭＡＣ−ｅエンティティが余分な電力使用を必要としないで首尾よく送信する確率をより高くして耐性のあるフレームを送信することを可能にするからである。或はその代わりに、耐性のあるフレームを首尾よく配信する確率を高めるために、ＭＡＣ−ｅエンティティは正規のフレームよりも高電力で耐性のあるフレームを送信しても良く、或は、これができないと、パケットを配信するためにより多くの回数の再送試行を用いても良い。しかしながら、利用可能なＭＡＣ−ｅ送信速度が十分高いと、その速度に適応させることにより耐性を増大する可能性があるなら完全な元のフレームを使用することも可能である。このことを達成できる１つの方法は、音声フレームを２つの異なるＡＭＲレート（例えば、ＡＭＲ７．９５及びＡＭＲ４．７５）で符号化し、パケット化して、そして格納することである。そのフレームは音声サンプルを別々に符号化することにより、或は、ただ１回の復号化処理により生成される。フレームは、ＭＡＣ−ｅエンティティが２〜３フレームの１つ以下に相当する通常は２０〜４０ミリ秒の（それぞれ、２ミリ秒のＴＴＩに対しては１〜２回の追加的な再送および１０ミリ秒のＴＴＩに対しては１回の再送）パケット損失を検出するのに十分に長いだけ格納される必要がある。そのフレームはＲＴＰ／ＩＰ／ＲＬＣパケットに詰め込まれ、ＭＡＣ−ｅレイヤで格納され、またはその代わりにアプリケーションが耐性のあるメディアフレームを丁度格納し、そして、ＭＡＣ−ｅからの要求を受信すると、必要な詰め込みを作り出することができる。
【００３１】
ＭＡＣ−ｅを１回よりも遥かに多くの再送をなすように構成することは勿論できるが、ＶｏＩＰ（ＩＰ電話）では、ほんの２〜３回だけの送信試行が用いられてジッタと遅延を許容レベルに保つようするものと期待されている。
【００３２】
他の可能性の代替案は、アプリケーションレベルの冗長性を使用して符号化されたフレームの誤り回復性をさらに増大させたり、或は、全く別の音声コーデックを耐性モードのコーデックとして走行させることである。
【００３３】
パケット損失の検出工程（Ｓ３）は、複数の様々な実施例に従って実現される。第１の実施例に従えば、ＭＡＣ−ｅエンティティは特定のパケットまたはフレームに対する再送回数が所定の最大再送回数に達しているか、或は、これを超えるようにさえなっていることを検出する。この最大値がＥ−ＤＣＨセットアップ段階でＲＲＣシグナリングを用いてユーザ機器に伝えられる。
【００３４】
別の可能なパケット損失検出の実施例は、受信したＮＡＣＫの数を監視することによりパケット損失の可能性を予測する工程を備える。所定数のＮＡＣＫが特定のパケットまたはフレームに対して受信されたなら、再送の上限回数を超えていなくても、パケット損失の確率は高い。このことはいずれにしても耐性のあるフレームを利用する前に第２の限度（再送試行）をシグナリングすることにより実施できよう。
【００３５】
図３において、更なる実施例に従う送信工程（Ｓ４）は、検出されたパケット損失に対する応答の仕方を選択する初期的な更なる工程を備える。ＭＡＣ−ｅエンティティが２通りのこれまでに説明した方法のいずれかによるか、またはいくつかの他の方法によりパケット損失を検出するとき、メディア伝送の品質を改善するための方法に関する決定がなされなければならない。このことは通常、例えば、その時点の許容値および使用電力レベルを調べることにより利用可能な送信速度の評価に基づいて行われる。
【００３６】
図４は検出されたフレーム損失の兆候に応じた可能性のある複数の実施例を図式的に説明している。複数の正規のメディアフレーム１、２、３、４が（実線の枠により示されているように）伝送のために提供され、また、提供されたメディアフレームの耐性のある表現形１、２、３、４が（破線の枠により示されているように）生成され、格納される。最初の３つの正規のフレームが送信され、フレーム２の損失の兆候が“×”印により示されている。その後に、検出されたフレーム損失の兆候に応じた様々な実施例が図の一番右寄りに例示されており、さらに以下に説明する。
【００３７】
さらに図４において、使用可能な送信速度に基づいて、ＭＡＣ−ｅエンティティは、次のものを送信することによって、検出されたパケット損失に対して応答するための選択を行う。
【００３８】
（ｉ）後に続くフレームと損失したメディアフレームとの両方に対する通常モードのメディアフレーム。これは通常、利用可能な最高速のデータ速度を必要とする。
【００３９】
（ii）後に続くフレームに対する通常モードのメディアフレームと損失したフレームの耐性のある表現形。
【００４０】
（iii）後に続くメディアフレームと損失したメディアフレームとの両方に対する耐性のあるメディアフレーム。
【００４１】
（iv）後に続くメディアフレームに対する耐性のあるメディアフレーム。
【００４２】
最後の実施例（iv）に対する代替案は、（後に続くか、或は損失した）２つのメディアフレームのいずれが最も高い優先権を有し、そのフレームの通常の表現形或は耐性のある表現形だけを送信するかを推定する更なる工程を含むことであろう。例えば、どのフレームが最も高い優先権を有するかの評価は、歪みに基づくマーキング（パケット／フレームの損失により生成される歪がどれ程かを推定する技術）により行われるかもしれない。歪みに基づくマーキングに関する更なる情報は、次の論文に見出すことができる。即ち、“差別化されたサービスネットワークによる音声伝送に対するソース駆動パケットマーキング（Source-Driven Packet Marking For Speech Transmission Over Differentiated-Services Networks）”、ジャン  カルロス  ド  マーティン（Juan Carlos De Martin）著，ＩＥＥＥオーディオ、音声及び信号処理に関する国際会議（IEEE International Conference on Audio, Speech and Signal Processing）、ソルトレークシティ（Salt Lake City）、ＵＳＡ、２００１年５月。
【００４３】
今までに述べたように、本発明の方法の代替実施例はダウンリンクのトラフィックに適用可能である。ダウンリンクとアップリンクとの間の１つの重要な相違は、ダウンリンクのトラフィックに関しては、パケット損失検出とメディアフレーム生成が異なる物理ノードで発生するであろうという点にある。
【００４４】
従って、メディアフレームは、（移動体電話間の通話に対しては）相手のＵＥにおいて、或は（ＣＳネットワーク間の相互作用に対しては）メディアゲートウエイにおいて、提供される（例えば、生成され、格納される）。アップリンクの実施例のステップＳ１と同様に、音声符号化処理中に耐性のあるフレームを生成することができる。耐性のあるフレームは通常のフレームとは独立して、しかし通常のフレームと同時に送信される必要がある。このことは、例えば、別のベアラを耐性のあるフレームに対して使用することにより達成できる。
【００４５】
１つの更なる実施例は、移動体電話間の通話に対して特定のメディアゲートウエイを同様に使用することである。このメディアゲートウエイの機能は、単にメディアフレーム（またはそのメディアフレームの一部）を複製するか、またはそのメディアフレームを復号し、その復号したフレームから耐性のあるフレームを生成することにより、耐性のあるフレームを生成することである。
【００４６】
通常のフレームと耐性のあるフレームとの両方がノードＢでバッファリングされるのが好ましい。ノードＢはユーザをスケジュールし、ＨＡＲＱ再送を実行する。アップリンクの実施例のステップＳ３と同様に、ノードＢは直接パケット損失かパケット損失に対する高い確率のいずれかを検出することができる。パケット損失の検出時、ノードＢはアップリンクのトラフィックのステップＳ４で説明した方法のいずれかを使用することができる。
【００４７】
図５において、検出されたパケット損失に応じてメディアフレーム伝送品質を改善できるシステムまたは装置構成は次の要素を備える。そのシステムは通常、送信のためのメディアフレームを提供するユニット１０と、その提供されたメディアフレームの表現形を生成し、ローカルに格納するバッファユニット２０と、提供されたメディアフレーム、或は前記メディアフレームの少なくともサブセットを送信する送信ユニット３０とを備える。さらに、そのシステムは、フレーム損失またはパケット損失を検出する検出ユニット４０を備える。最後に、そのシステムは検出されたパケット損失に応じて、後に続いて提供され、しかし送信されていないメディアフレームの格納されている表現形を送信するユニットを備える。そのシステムの全てのユニットはデータを交換し、さらに上で説明した手順を実行するために共通バスにより通信を行う。好適な実施例に従えば、提供されたメディアフレームを送信する送信ユニット３０はさらに、今までに説明したようにメディアフレームの耐性のある表現形の送信も扱うように適合されている。しかしながら、アプリケーションに依存して、２種類の送信のために２つの別のユニットを提供するか、または少なくともその２種類に対して別のベアラを提供することが必要であるかもしれない。
【００４８】
メディアフレームの耐性のある表現形がおそらく音声エンコーダのようなアプリケーションにより生成されり、送信部に配信される。その代わりに、その“送信機”が通常のフレームから耐性のあるフレームを生成することを担当する。
【００４９】
また、耐性のあるフレームだけを格納することも可能である。例えば、最初の送信には通常のフレームを使用し、それからそのフレームそのものを落とし、そして起こり得る“再送”のために耐性のある表現形だけを保持することができる。しかしながら、代案として元々のフレームと耐性のあるフレームとの両方を格納しても良い。
【００５０】
具体的な実施例に従えば、その装置構成が通信システムのノード、例えば、ユーザ機器または端末内に配置される。しかしながら、その装置構成の様々な部分が異なるノードに配置されることもまた可能である。特に、ダウンリンクの実施形の場合には、パケット損失検出部４０とバッファ部２０が異なるノードに配置されるであろう。要するに、メディアフレームの表現形は、その時、１つのノードで生成され、送信されてノードＢでバッファリングされる。
【００５１】
当然のことながら、その装置構成の他の部分もまたシステムの異なるノードで実施されても良い。
【００５２】
本発明の利点には以下のものが含まれる。
【００５３】
本発明により、Ｅ−ＤＣＨによる会話メディアの品質を改善し、運用業者がより効率的なＥ−ＤＣＨ構成を使用可能にすることによりシステム容量を増大させることができる。
【００５４】
本発明の更なる実施例によれば、ダウンリンクにおけるＨＳＤＰＡによっても会話メディアの品質の改善を提供する。
【００５５】
当業者には当然のことながら、様々な変形や変更が、添付の請求の範囲により規定される本発明の範囲を逸脱することなく本発明に対してなすことができる。
【図面の簡単な説明】
【００５６】
【図１】本発明が用いられる通信システムの概略説明図である。
【図２】本発明が用いられる通信システムのプロトコルレイヤの概略説明図である。
【図３】本発明に従う方法の実施例の基本的なステップの概略フローチャートである。
【図４】本発明の複数の実施例の概略フロー図である。
【図５】本発明に従う装置構成の概略ブロック図である。
【図１】
2009526433.tif 000003
【図２】
2009526433.tif 000004
【図３】
2009526433.tif 000005
【図４】
2009526433.tif 000006
【図５】
2009526433.tif 000007
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
通信ネットワークにおけるメディアフレーム送信を改善する方法であって、
複数の連続する正規のメディアフレームを送信のために提供する（Ｓ０）工程と、
前記複数の連続する正規のメディアフレームの耐性のある表現形を提供し、格納する（Ｓ１）工程と、
前記正規のメディアフレームの少なくともサブセットを送信する（Ｓ２）工程と、
前記送信されたメディアフレームの損失の兆候を検出する（Ｓ３）工程と、
前記検出されたフレーム損失に応じて、前記損失したメディアフレームの格納されている耐性のある表現形を送信する（Ｓ４）工程とを有することを特徴とする方法。
【請求項２】
前記損失したメディアフレームの格納された耐性のある表現形を、後に続くまだ送信されていない、メディアフレームの格納されている耐性のある表現形とともに送信することを特徴とする請求項１に記載の方法。
【請求項３】
前記損失したメディアフレームの格納された耐性のある表現形と共に、後に続く正規のメディアフレームを送信することを特徴とする請求項１に記載の方法。
【請求項４】
前記耐性のある表現形は、メディア符号化処理の間に前記正規のメディアフレームに付加して生成され、送信ユニットに利用可能なバッファに格納されることを特徴とする請求項１に記載の方法。
【請求項５】
利用可能な送信速度の評価に基づいて、前記格納された耐性のある表現形を選択し、送信する工程をさらに有することを特徴とする請求項１に記載の方法。
【請求項６】
前記耐性のある表現形は対応する前記正規のメディアフレームよりも小さいことを特徴とする請求項１に記載の方法。
【請求項７】
前記少なくとも前記損失したメディアフレームの格納された耐性のある表現形を送信する工程は、元々のメディアフレームよりも大きな電力で実行されるか、或は、必要であるなら再送信の試行をより多く行うことを特徴とする請求項１に記載の方法。
【請求項８】
前記検出する（Ｓ３）工程は、再送信の回数が再送信の最高数についての所定の制限を越えたことを検出することを特徴とする請求項１に記載の方法。
【請求項９】
前記検出する（Ｓ３）工程は、再送信の回数が受信ＮＡＣＫの数に基づいて、所定の最高値を超えるパケット損失数についての可能性を予測することを含むことを特徴とする請求項１に記載の方法。
【請求項１０】
前記メディアフレーム送信は、アップリンクのＥ−ＤＣＨ、或は、ダウンリンクのＨＳＤＰＡによって発生することを特徴とする請求項１に記載の方法。
【請求項１１】
通信ネットワークにおける改善されたメディアフレーム送信のために適合した装置であって、
複数の連続する正規のメディアフレームを送信のために提供する手段（１０）と、
前記複数の連続する正規のメディアフレームの耐性のある表現形を提供し、ローカルに格納する手段（２０）と、
前記正規のメディアフレームの少なくともサブセットを送信する手段（３０）と、
前記送信されたメディアフレームの損失の兆候を検出する手段（４０）とを有し、
前記送信する手段（３０）はさらに、前記検出されたフレーム損失に応じて、前記損失したメディアフレームの格納されている耐性のある表現形を送信するように適合されていることを特徴とする装置。
【請求項１２】
前記送信する手段（３０）は、前記損失したメディアフレームの格納された耐性のある表現形を、後に続くまだ送信されていない、メディアフレームの格納されている耐性のある表現形とともに送信するように適合されていることを特徴とする請求項１１に記載の装置。
【請求項１３】
通信ネットワークにおけるノードであって、
複数の連続する正規のメディアフレームを送信のために提供する手段（１０）と、
前記複数の連続する正規のメディアフレームの耐性のある表現形を提供し、ローカルに格納する手段（２０）と、
前記正規のメディアフレームの少なくともサブセットを送信する手段（３０）と、
前記送信されたメディアフレームの損失の兆候を検出する手段（４０）とを有し、
前記送信する手段（３０）はさらに、前記検出されたフレーム損失に応じて、前記損失したメディアフレームの格納されている耐性のある表現形を送信するように適合されていることを特徴とするノード。
【請求項１４】
前記ノードは通信ネットワークにおけるユーザ機器であることを特徴とする請求項１３に記載のノード。
【請求項１５】
前記ノードは通信ネットワークにおける基地局であることを特徴とする請求項１３に記載のノード。
【国際調査報告】
2009526433.tif 000008
2009526433.tif 000009
2009526433.tif 000010
2009526433.tif 000011